(57)【要約】【課題】短期間に種苗の発芽、増殖を期待することができる植物栽培セットを提供する。【解決手段】栽培ポット１に培養土２を入れ、種苗３を播種（又は定植）し、栽培管理を適正に行って植物の根鉢４を形成し、この根鉢４を乾燥して地上部の植物体を枯らした後、フィルム状袋容器５に入れ、該根鉢４と該フィルム状袋容器内周側壁５との隙間に培養土６ａを詰め、且つ該根鉢の天面を培養土６ｂで被覆し、該袋容器の開口部を閉鎖したのち、これを包装用外容器７に入れ開口部を蓋７ａで閉鎖して、課題の植物栽培セットを得る。【選択図】図１
2008104409.tif 000002
【特許請求の範囲】
【請求項１】
栽培ポットに培養土を入れ、種苗を播種、育成して根鉢とし、該根鉢をそのまま乾燥し、包装用外容器に入れてなる植物栽培セット。
【請求項２】
乾燥を、根鉢の地上部植物体が枯れるまで実施することを特徴とする請求項１記載の植物栽培セット。
【請求項３】
種苗が、ユリ科植物、ショウガ科植物、アブラナ科植物、キク科植物又はセリ科植物であることを特徴とする請求項１又は２記載の植物栽培セット。
【請求項４】
根鉢４をフィルム状袋容器５に入れ、該根鉢４と該フィルム状袋容器内周側壁との隙間に培養土６ａを詰め、且つ該根鉢の天面を培養土６ｂで被覆し、該フィルム状袋容器５の開口部を閉鎖したのち、これを包装用外容器７に入れ開口部を閉鎖してなる植物栽培セット。
【発明の詳細な説明】
【技術分野】
【０００１】
本発明は、短期間に種苗の発芽、生育を期待することができる植物栽培セットに関する。
【背景技術】
【０００２】
従来先ず、草花の種子や球根を発根、発芽させて、該根や球根に付着している土を取除き、水洗い、水切りをした後、４〜８℃の温度で４５０〜５００時間程度仮眠させる。一方、水漏れのない容器（鉢）にゼオライトと有機肥料を所定配合した培養土を充填する。次いで、該容器の培養土表面から１ｃｍ程度の深さに、上記仮眠させた植物体を埋め、蓋をして密閉する。こうして、四季に因らず直射日光の当らない室内でも栽培できるパック詰花（植物栽培セット）が知られている（特許文献１参照）。
【特許文献１】特開昭６１−２７４６２８号公報
【発明の開示】
【発明が解決しようとする課題】
【０００３】
しかし、この植物栽培セットは、草花の根や球根が培養土と一体的に結合（又は係合）した状態ではないため、これに撒水して栽培管理しても植物体の発根、発芽、生育に長期間を要する欠点を有する。また、上記栽培セットは、球根や根などを乾燥したり殺菌剤で処理したりする工程、容器に培養土を充填する工程、そして、特に、種子又は球根や根を該容器中の培養土に植え付ける工程が必要であり、しかもこれらの工程は人手に頼らざるを得ず、製造工程が煩雑である問題を有する。
【課題を解決するための手段】
【０００４】
本発明者等は、上記課題を解決するため、種々検討を重ねた結果、栽培ポットに培養土を入れ、種苗を播種、育成して根鉢とし、該根鉢をそのまま、乾燥し、包装容器に充填するときは、短期間に植物体を発芽、生育させることができ、また製造工程を簡略化できることを知った。また根鉢を、地上部の植物体が枯れるまで乾燥するときは、植物体が根腐れを生じたり、包装容器内で勝手に発芽生育するのを防止できることを知った。また、本発明に用いられる種苗としては、ユリ科植物、ショウガ科植物、アブラナ科植物、キク科植物又はセリ科植物が好ましいことを知った。また、根鉢をフィルム状袋容器に入れ、該根鉢と該袋容器内周側壁との隙間に培養土を詰め、且つ該根鉢の天面を培養土で被覆し、該袋容器の開口部を閉鎖したのち、これを外容器に入れ開口部を閉鎖するときは、根鉢を外容器内中央部に固定し、フィルム状袋容器が培養土と外容器内周面との直接接触を遮断して、根鉢を保護できることを知った。そして、本発明者らは、これらの知見に基づいて以下に示す本発明を完成した。
【０００５】
（１）栽培ポットに培養土を入れ、種苗を播種、育成して根鉢とし、該根鉢をそのまま乾燥し、包装用外容器に入れてなる植物栽培セット。
（２）乾燥を、根鉢の地上部植物体が枯れるまで実施することを特徴とする（１）記載の植物栽培セット。
（３）種苗が、ユリ科植物、ショウガ科植物、アブラナ科植物、キク科植物又はセリ科植物であることを特徴とする前記（１）又は（２）記載の植物栽培セット。
（４）根鉢４をフィルム状袋容器５に入れ、該根鉢４と該フィルム状袋容器内周側壁との隙間に培養土６ａを詰め、且つ該根鉢の天面を培養土６ｂで被覆し、該フィルム状袋容器５の開口部を閉鎖したのち、これを包装用外容器７に入れ開口部を閉鎖してなる植物栽培セット。
【発明の効果】
【０００６】
本発明は、短期間に種苗の発芽、生育を期待することができる。また、栽培セットの製造工程において、種苗の根株や球根から培養土の除去や、それに続く該根株や球根を容器に植え付ける等の煩雑な作業をする必要が全くない。よって、栽培セットの生産効率が向上し、栽培セットの製造原価の低減ができる。その結果、栽培セットを容易に、大量生産することができる。
【発明を実施するための最良の形態】
【０００７】
図１は、本発明の植物栽培セットの一具体例を示す概略説明図を示し、栽培ポット１に培養土２を入れ、種苗３を播種（又は定植）し、栽培管理を適正に行って植物の根鉢４を形成し、この根鉢４を乾燥した後フィルム状袋容器５に入れ、該根鉢４と該フィルム状袋容器内周側壁５との隙間に培養土６ａを詰め、且つ該根鉢の天面を培養土６ｂで被覆し、該袋容器の開口部を閉鎖したのち、これを包装用外容器７に入れ開口部を蓋７ａで閉鎖してなる植物の栽培セットである。
【０００８】
本発明における栽培ポットは、如何なる形状のものでもよいが、対象とする植物の形、大きさなどにより選択することが好ましい。
栽培ポットで育成した根株又は球根等の栄養繁殖体は、その根鉢が付いたまま容器に収納することから、栽培ポットの形状は、立方体、直方体、三角柱、四角柱、五角柱、六角柱などの多角柱型や円柱、植木鉢のような円錐台型であることが好ましい。
【０００９】
本発明の植物の栽培セットは根鉢（即ち種苗の根株若しくは球根と培養土が一体的に結合又は係合した状態のもの）を栽培ポットに入れたまま流通するため、前記包装用外容器は蓋を有するものが好ましい。
【００１０】
本発明における栽培ポットは、水やりなどの栽培管理が必要なため、その材質は耐水性であることが好ましいが、耐水性のフィルム状袋容器に収納して使用する場合は、耐水性を有しない材質であってもよい。
【００１１】
本発明の栽培セットに用いられる種苗は、任意の植物が採用可能であり、根株又は球根を有する野菜や花卉などの植物が好ましい。
そして、根株又は球根の地上部が乾燥によって枯れた、次年度に栄養繁殖することができるものが特に好ましい。例えばニラ、ハナニラ、ネギ、ワケギ、ラッキョウ及びニンニク等のユリ科植物、ミョウガ及びショウガ等のショウガ科植物、ワサビ等のアブラナ科植物、畑ワサビ等のキク科植物及びミツバ等のセリ科植物が好ましい。
【００１２】
本発明における栽培セットに用いられる培養土は、栽培する野菜や花卉の根株又は球根の育成に適したものならば、如何なる組成のものでも良く、その制限はない。例えば、ココユーキ（ヤシの実の殻から繊維を取り戻す際に出る粉末（髄）を原料とする有機資材）、ココピート（ヤシの実の外殻を粉砕して作られたもの）及びピートモス（湿地地帯のコケ類が長年堆積して半ば腐食したものを乾燥させて砕いたもの）などを単独で、又はそれらを組合せて用いることができる。
【００１３】
本発明における栽培セットに用いる肥料は、栽培する植物の生育を促すものであるならば特に制限はないが、追肥等の手間を省くため、速効性肥料より、緩効性肥料であることが好ましい。
【００１４】
本発明における栽培セットは、先ず、野菜又は花卉の種子、球根又は根株を、その発芽や生育に適した組成を有する培養土を充填したビニールポットやセルトレイなどの栽培ポットに播種（あるいは定植）して発芽させ育成する。
そして、該栽培セットの包装用外容器に対応した大きさを有し、種苗の育成に適した培養土を充填した栽培ポットに、種苗を１又は複数ずつ定植する。
【００１５】
本発明を実施するには、栽培ポットに培養土を入れ、種子又は球根等をそのままか、又は予め圃場などで育成したもの（本発明では、これらを種苗という）を定植し、育成して根鉢を形成する。予め圃場などで育成する方法としては、野菜又は花卉の種子を圃場等に播種し、育成するか、又は、野菜又は花卉の根株又は球根を圃場等に植え付けて育成し、次いで、育成した当該植物株を掘り上げ、必要ならば該植物株の根株又は球根を適当な大きさに分割する。そして、育成に適した培養土を充填したビニールポット等の栽培ポット又はセルトレイに、該株、根株又は球根を１本（個）又は複数本（個）ずつ定植する。
【００１６】
次いで、該植物の苗、根株又は球根を常法通りの栽培管理を行って十分に育成し、根鉢とした後、該植物株への灌水を完全に止めて、約半月から２ヶ月ほどかけて、該栽培ポット中の培養土を乾燥する。
またこの際、雨水が当らないように、該栽培ポットをビニールシートで覆う等の処置をする。当該乾燥処理によって、該植物株の地上部は枯れてしまうが、枯れてしまった地上部は剪定バサミ等で刈り取って除去する。
【００１７】
本発明において、栽培ポット中の培養土を乾燥させる工程は大変重要であり、この乾燥工程で、栽培セットの培養土が含有する水分を除去する。この乾燥により球根や根株等の栄養繁殖体の根腐れを防止したり、該栄養繁殖体の発芽を抑制したりすることができる。乾燥は、自然乾燥又は５０℃以下（特に２０〜３０℃）の空気に晒す乾燥が挙げられるが、自然乾燥が好ましい。また乾燥条件は、培養土の水分が２０％（ｗ／ｗ）以下となるように行うことが好ましく、１５％以下となるように行うことがより好ましく、１０％以下となるように行うことが最も好ましい。水分が２０％（ｗ／ｗ）を超えるときは、植物栽培セットの開封前に、包装容器内で発芽生育する危険性があり、包装容器内で一度発芽するとその後において行われる本栽培において、高品質の植物体を収量良く収穫できない危険性を有する。
【００１８】
枯れた地上部を除去した栽培ポット中の野菜又は花卉の株を、根鉢ごと栽培セットを構成する包装用外容器に充填するか、またはフィルム状袋容器に入れたのち包装用外容器に入れ栽培セットを製造する。
【００１９】
本発明はこのように、栽培セットを構成する包装用外容器に、次年度に生育することが可能な植物株をその根鉢ごと充填することで、当該植物株は、該栽培容器中の培養土の適正な場所に位置することになり、従来の種子、球根又は根株を、栽培セットを構成する容器中の培養土の所定位置に一々植え付ける面倒な工程を省略することができる。このようにして、本発明によれば、栽培セットの生産効率を飛躍的に向上することができる。
【００２０】
本発明における植物の根株のフィルム状袋容器への充填工程は、該容器に培養土を充填した後に、該植物株を根鉢ごと充填するか、該容器に該植物株を根鉢ごと充填した後に、培養土を充填するか、又は該容器に培養土、該植物株の根鉢、再度培養土の順に充填してもよく、何れの方法によっても、本発明の効果を奏する。
【実施例１】
【００２１】
（ニラの栽培セットの製造法）
２００５年３月１０日に温室（１８〜２３℃）で、培養土（ホーネンアグリ社製ポットミックス）を２００穴トレーに充填し、ニラの種子（品種：南海）（渡辺採種場社製）を約８粒／穴で播種し、播種してから１０日後に発芽した。発芽後は培養土が乾燥しないように度々灌水を行い、３月１５日から４月２６日の６週間育苗しながら、発芽から１週間目、３週間目及び５週間目に水で１０００倍希釈したＯＫＦ１（大塚化学社製）を施肥した。
【００２２】
そして、１００個の直径１５ｃｍの黒ビニールポットに、培養土（ホーネンアグリ社製ポットミックス）に緩効性肥料（サングリーン社製グリーンマップ２）を５ｇ／リットルの分量で混合した培養土を充填した。更に上記の育苗したニラ苗を２本ずつ該黒ビニールポットに定植し、定植後の黒ビニールポットを１０個ずつアンダートレイ（育苗箱）に入れて、露地に敷き並べた。６月１０日と９月１５日に緩効性肥料（コープケミカル社製ＩＢ化成）をそれぞれの黒ビニールポットに約５粒ずつ施肥して、４月２６日から１０月１日の間、灌水を行いながら当該ニラ株を育成した。
【００２３】
そして、１０月２日から１１月５日までの約１ヶ月間、該ニラ株への灌水を完全に止めて、更に雨水が当らないように該ニラ株を青シートで被覆して、該黒ビニールポット中の培養土を完全に乾燥した。当該乾燥処理の際、ニラの葉は全て枯れてしまったが、枯れたニラの葉は剪定バサミを用いて全て刈り取った。
【００２４】
そして、当該完全乾燥したニラ株を根鉢ごと黒ビニールポットから引き抜き、黒色のビニール袋（３７ｃｍ×５５ｃｍ）を収納した、挿し込み式の蓋を有するダンボール箱（１５ｃｍ×１５ｃｍ×１５ｃｍ）に入れた。更に緩効性肥料（コープケミカル社製ＩＢ化成１０−１０−１０）約５粒と、ココユーキ（ディ・アイ・エー・コーポレーション社製）２．５リットルとを充填し、該黒色ビニール袋の開口部をヒートシールした後に、該ダンボール箱の蓋を閉じて、ニラの栽培セットを１００ケース製造した。
【００２５】
以下に上記で製造したニラの栽培セットを用いた黄ニラの栽培方法を示す。
１２月１０日に、室内のテーブル上でニラの栽培セットの蓋を開けて、箱の中の黒色ビニール袋をハサミで開封し、約０．５リットルの水やりをした後に、該黒色ビニール袋の開口部を軽く絞って輪ゴムで止め、ニラ株の保温、保湿及び遮光を行い育成すると、１２月１７日にニラが発芽を開始した。そして引続き、発芽した該ニラ株を、開口部を閉じた該黒色ビニール袋中で遮光しながら育成すると、１２月２５日に黄ニラが１５本収穫できた。その後、黒色ビニールの開口部を広げて下に巻き折って、光を当てながら栽培すると、４回ニラが再萌芽し、緑のニラを７５本収穫することができた。
【実施例２】
【００２６】
（ショウガの栽培セットの製造法）
２００５年４月２０日に種ショウガ（品種：金時）を、約５０ｇの大きさに手で分割し、培養土（ホーネンアグリ社製ポットミックス）に緩効性肥料（サングリーン社製グリーンマッ２）を５ｇ／リットルの分量で混合した培養土を充填した１５ｃｍの生分解性ポット（トウモロコシのでん粉を主原料としており、土中の微生物によって分解する）１００個に植え付けた。植え付け後の当該生分解性ポットを１０個ずつアンダートレイ（育苗箱）に入れて、露地に敷き並べ、６月１５日と９月３日に緩効性肥料（コープケミカル社製ＩＢ化成）をそれぞれのポットに約５粒ずつ施肥し、４月２５日から１１月１０日の間、灌水を行いながら当該種ショウガを育成した。
【００２７】
そして、１１月１１日から１２月１５日までの約１ヶ月間、該ショウガ株への灌水を完全に止めて、なおかつ雨水が当らないように青シートで被覆して、該ショウガ株を植え付けた生分解性ポット中の培養土を完全に自然乾燥した。当該乾燥処理の際、ショウガの茎や葉の部分は全て枯れてしまったが、この枯れたショウガの茎は剪定バサミを用いて全て刈り取った。
【００２８】
そして、当該完全乾燥したショウガ株を生分解性ポットに植えられた根鉢のまま、黒色のビニール袋（３７ｃｍ×５５ｃｍ）を収納した、挿し込み式の蓋を有するダンボール箱（１５ｃｍ×１５ｃｍ×１５ｃｍ）に入れた。更に緩効性肥料（コープケミカル社製ＩＢ化成１０−１０−１０）約５粒と、ココユーキ（ディ・アイ・エー・コーポレーション社製）２．５リットルとを入れて、該黒色ビニール袋の開口部を輪ゴムで止めた後に、該ダンボール箱の蓋を閉じて、ショウガの栽培セットを１００ケース製造した。
【００２９】
以下に上記で製造したショウガの栽培セットを用いたショウガの栽培方法を示す。
２００６年１月１２日に、室内のテーブル上でショウガの栽培セットの蓋を開けて、箱の中の黒色ビニール袋を開封し、約０．６リットルの水やりをした後に、該黒色ビニール袋の開口部を軽く絞って輪ゴムで止め、ショウガが萌芽するまでの間、保温と保湿を行った。その結果、２月６日にショウガの新芽が２本発芽し、更に該黒色ビニール袋による保温と保湿を引き続いて行う事によって、２月１５日から３月２日までに筆ショウガが次々と発生し、合計で１４本収穫できた。
【実施例３】
【００３０】
（ミョウガの栽培セットの製造法）
２００５年３月２５日に群馬県沼田市の圃場から夏ミョウガの根株を掘り上げて、３〜５芽を付けた充実した地下茎を一つずつ、１００個の１５ｃｍポットに入れ、培養土（ホーネンアグリ社製ポットミックス）に緩効性肥料（サングリーン社製グリーンマップ２）を５ｇ／リットルの分量で混合した培養土を充填した。ポットは生分解性ポット（トウモロコシのでん粉を主原料としており、土中の微生物によって分解する）を用いた。そして、植え付け後の当該生分解性ポットを１０個ずつアンダートレイ（育苗箱）に入れて、露地に敷き並べ、６月５日と８月２９日に緩効性肥料（コープケミカル社製ＩＢ化成）をそれぞれのポットに約５粒ずつ施肥し、４月１日から１０月１９日の間、灌水を行いながら当該種ミョウガを育成し、露地に敷き並べた。
【００３１】
そして、１０月２０から１１月２２日までの約１ヶ月間、該ミョウガ株への灌水を完全に止めて、なおかつ雨水が当らないように青シートで被覆して、該ミョウガ株を植え付けた黒ビニールポット中の培養土を完全に自然乾燥した。当該乾燥処理の際、ミョウガの茎や葉の部分は全て枯れてしまうが、この枯れたミョウガの茎は剪定バサミを用いて全て刈り取った。
【００３２】
そして、当該完全乾燥したミョウガ株を生分解性ポットに植えられたまま、黒色のビニール袋（３７ｃｍ×５５ｃｍ）を収納した、挿し込み式の蓋を有するダンボール箱（１５ｃｍ×１５ｃｍ×１５ｃｍ）に入れた。更に緩効性肥料（コープケミカル社製ＩＢ化成（１０−１０−１０））約５粒と、ココユーキ（ディ・アイ・エー  コーポレーション社製）２．５リットルとを入れ、該黒色ビニール袋の開口部を輪ゴムで止めた後に、該ダンボール箱の蓋を閉じて、ミョウガの栽培セットを１００ケース製造した。
【００３３】
以下に上記で製造したミョウガの栽培セットを用いたミョウガダケの栽培方法を示す。
１２月２６日に、室内のテーブル上でミョウガの栽培セットの蓋を開けて、箱の中の黒色ビニール袋を開封し、約０．６リットルの水やりをした後に、該黒色ビニール袋の開口部を軽く絞って輪ゴムで止め、ミョウガ株の保温と保湿を行った。その結果、２００６年１月１８日にミョウガの芽が３本発芽を開始した。引続き、発芽した該ミョウガ株を、開口部を閉じた該黒色ビニール袋中で遮光しながら育成した結果、１月２９日から２月１０日の間にミョウガダケが１１本収穫できた。
【図面の簡単な説明】
【００３４】
【図１】本発明の植物栽培セットの一具体例を示す概略説明図である。
【符号の説明】
【００３５】
１：栽培ポット
２：培養土
３：種苗
４：根鉢
５：フィルム状袋容器
６ａ：培養土
６ｂ：培養土
７：包装用外容器
７ａ：包装用外容器の蓋
【図１】
2008104409.tif 000003